(57)【要約】【課題】洗浄液に与えられる超音波振動の減衰を抑止し、効率の良い洗浄が行えるようにする超音波洗浄方法を提供する。【解決手段】洗浄液供給口２と洗浄液排出口３が設けられた密閉可能な洗浄容器１内へ被洗浄物を収容して密閉し、該洗浄容器１内へ洗浄液を満水となるまで供給し、この状態で前記洗浄容器１内の洗浄液に超音波振動を与える。【選択図】  図１
2004160326.tif 000002
【特許請求の範囲】
【請求項１】
洗浄液供給口と洗浄液排出口が設けられた密閉可能な洗浄容器内へ被洗浄物を収容して密閉し、該洗浄容器内へ洗浄液を満水となるまで供給し、この状態で前記洗浄容器内の洗浄液に超音波振動を与えることを特徴とする超音波洗浄方法。
【発明の詳細な説明】
【０００１】
【発明の属する技術分野】
本発明は、被洗浄物を効率よく洗浄する超音波洗浄方法に関する。
【０００２】
【従来の技術】
表面に汚れが付着している各種の物品等（以下、被洗浄物と言う）を洗浄する手段として、超音波を利用した洗浄方法がある。この洗浄方法は、洗浄容器内に供給した洗浄液中に被洗浄物を浸漬し、超音波振動を与えて洗浄液を振動させて前記被洗浄物を洗浄するものである。従来、かかる超音波洗浄に使用される洗浄容器は、その蓋構造が上蓋式となっており、洗浄容器内に供給された洗浄液と上蓋との間に大気空間が形成された状態で洗浄が行われていた（例えば、特許文献１参照。）。
【０００３】
【特許文献１】
特許第２９８４４４５号公報
【０００４】
【発明が解決しようとする課題】
上記した従来の超音波を利用した洗浄では、洗浄容器内の洗浄液の上面が開放された状態で、洗浄液に超音波振動が与えられていたので、洗浄液に与えられた超音波振動が洗浄液の開放されている上面から逃げてしまい、この結果洗浄液に与えられた超音波振動が減衰してしまうことになり、洗浄に超音波振動を有効に活用しきれていないといった問題があった。
【０００５】
本発明の目的は、洗浄液に与えられる超音波振動の減衰を抑止し、効率の良い洗浄が行えるようにする超音波洗浄方法を提供することにある。
【０００６】
【課題を解決するための手段】
上記の目的を達成するために本発明に係る超音波洗浄方法は、洗浄液供給口と洗浄液排出口が設けられた密閉可能な洗浄容器内へ被洗浄物を収容して密閉し、該洗浄容器内へ洗浄液を満水となるまで供給し、この状態で前記洗浄容器内の洗浄液に超音波振動を与えることを特徴とする。
【０００７】
かかる構成から、洗浄容器内へ被洗浄物を収容して密閉し、該洗浄容器内へ洗浄液供給口から洗浄液を満水となるまで供給することにより、洗浄容器と、該洗浄容器内に供給した洗浄液との間に空間が無くなり、洗浄容器内に供給した洗浄液は洗浄容器内面に接することになる。この状態で前記洗浄容器内の洗浄液に超音波振動を与えると超音波振動が逃げるところが無く、洗浄液に与えられた超音波振動は洗浄容器の全内周面で反射し、再度洗浄液に振動を与えることになり、これにより洗浄液に与えられた超音波振動の減衰が抑止でき、効率の良い洗浄が行える。
【０００８】
【発明の実施の形態】
以下、本発明に係る超音波洗浄方法の実施の形態を説明する。
【０００９】
図１は本発明に係る超音波洗浄方法を実施する超音波洗浄装置の一例を示す概略図であり、この超音波洗浄装置を用いて、本発明に係る超音波洗浄方法の実施の形態の一例を説明する。
【００１０】
先ず、本例に用いられる超音波洗浄装置について説明すると、内部に被洗浄物を収容する密閉可能な洗浄容器１に、該洗浄容器１内に洗浄液を供給するための洗浄液供給口２と洗浄容器１内の洗浄液を排出するための洗浄液排出口３が設けられ、更に、洗浄容器１には前記洗浄液供給口２から洗浄容器１内に供給された洗浄液に超音波振動を与える超音波振動体４が備えられている。
【００１１】
前記洗浄容器１は密閉可能な開閉蓋（図示せず）を備えており、その形状や大きさにあっては特に限定されるものではない。本例では、その形状は函状に構成されている。また、前記洗浄容器１に設けられた洗浄液供給口２は、洗浄容器１の頂部に開口しており、洗浄液供給口２には洗浄液を洗浄容器１内に供給する洗浄液供給パイプ５が接続している。また、前記洗浄液排出口３は洗浄容器１の底部に開口しており、洗浄液排出口３には、洗浄後に洗浄容器１内から洗浄液を排出する洗浄液排出パイプ６が接続しており、この洗浄液排出パイプ６にはバルブ７が設けられている。
【００１２】
また、前記洗浄容器１内に供給された洗浄液に超音波振動を与える超音波振動体４は、洗浄容器１内の底部に固定して設けられている。この超音波振動体４は、本例では図示しないが、耐圧と耐水を備えた密閉ケースの上板を振動板とし、この上板の下面に振動子を取り付けた構成となっている。なお、本例では、超音波振動体４は、洗浄容器１内に設けられているが、洗浄容器１外に設けられていてもよい。
【００１３】
次に、本発明に係る超音波洗浄方法の実施の形態を前記のように構成された超音波洗浄装置を使用して説明する。
先ず、被洗浄物をバスケット８等に入れた状態で密閉可能な洗浄容器１内へ収容して密閉する。次に、洗浄液供給パイプ５を通して洗浄液を洗浄液供給口２から洗浄容器１内に満水となるまで供給する。本例では洗浄液を水位Ｌまで供給し洗浄容器１内を満水にしている。これにより、洗浄容器１と、該洗浄容器１内に供給した洗浄液との間に空間が無くなり、洗浄容器１内に供給した洗浄液は洗浄容器１の内面を構成する６面に接することになる。
【００１４】
このようにして洗浄容器１内を洗浄液で満水にしたら、この状態で前記超音波振動体４に通電して洗浄容器１内の洗浄液に超音波振動を与える。洗浄液に与えられた超音波振動は、前記のように洗浄容器１と洗浄液との間に空間が無いので逃げるところが無く、洗浄液を伝わって洗浄容器１の全内周面、即ち６面に当たって反射し、再度洗浄液に振動を与えることになる。これにより洗浄液に与えられた超音波振動の減衰が抑止でき、特に、従来の超音波洗浄方法では、超音波振動が洗浄液の開放されている上面から逃げてしまうことによる洗浄液に与えられた超音波振動の減衰により、上側の洗浄力が落ちるものとされていたのが、本発明では洗浄容器１の上部内周面での超音波振動の反射により再度洗浄液に振動を与えることになるので、上側の洗浄力が落ちず洗浄力の向上が図れるものとなり、超音波振動を有効に活用した効率の良い洗浄が行える。
【００１５】
前記のようにして被洗浄物の洗浄が終了したら、洗浄液排出パイプ６に設けられているバルブ７を開き、洗浄液排出口３から洗浄液排出パイプ６を通して洗浄容器１内の洗浄液を排出する。
【００１６】
【発明の効果】
以上のように、本発明に係る超音波洗浄方法によれば、洗浄液供給口と洗浄液排出口が設けられた密閉可能な洗浄容器内へ被洗浄物を収容して密閉し、該洗浄容器内へ洗浄液を満水となるまで供給し、この状態で前記洗浄容器内の洗浄液に超音波振動を与えるようにしたので、洗浄容器内へ被洗浄物を収容して密閉し、該洗浄容器内へ洗浄液供給口から洗浄液を満水となるまで供給することにより、洗浄容器と、該洗浄容器内に供給した洗浄液との間に空間が無く、洗浄容器内に供給した洗浄液は洗浄容器内面に接することになり、この状態で前記洗浄容器内の洗浄液に超音波振動を与えることにより、洗浄液に与えられた超音波振動は逃げるところが無く洗浄容器の全内周面で反射し、再度洗浄液に振動を与えることになり、これにより洗浄液に与えられた超音波振動の減衰が抑止でき、効率の良い洗浄を行うことができる。
【図面の簡単な説明】
【図１】本発明に係る超音波洗浄方法を実施する超音波洗浄装置の一例を示す概略図。
【符号の説明】
１  洗浄容器
２  洗浄液供給口
３  洗浄液排出口
４  超音波振動体
５  洗浄液供給パイプ
６  洗浄液排出パイプ
７  バルブ
８  バスケット
Ｌ  水位
【図１】
2004160326.tif 000003